(57)【要約】【課題】  本発明の課題は、レンズホルダが安定した移動速度で移動でき且つ装置の小型化を図るとともに、外部からの衝撃によってレンズの位置ズレが生じ難いレンズ駆動装置を得ることである。【解決手段】  レンズ２を保持するレンズホルダ４と、レンズホルダ４の移動を案内するシャフト５、６と、コイル１５と、マグネット７とを備えるレンズ駆動装置１であって、コイル１５はレンズホルダ４の外周に固定されており、レンズホルダ４にはシャフトの挿通孔が形成されており、マグネット７はコイル１５の外周側に配置され且つ周方向の一部を欠如した隙間が形成され、レンズホルダ４は磁性体の引き寄せ部材２７を備え、引き寄せ部材２７は半径方向外側に突出してマグネット７の隙間に位置し、マグネット７の隙間を介して対向するマグネット７の両端部の何れか一方に引き寄せ部材２７が磁力により引き付けられて、挿通孔の内周面にシャフト５、６の外周が当接している。【選択図】      図１
2005352233.tif 000002
【特許請求の範囲】
【請求項１】
レンズを保持するレンズホルダと、レンズホルダの移動を案内するシャフトと、コイルと、マグネットとを備え、コイルに通電してレンズホルダをレンズの光軸方向に移動させるレンズ駆動装置であって、コイルはレンズホルダの外周に固定されており、レンズホルダにはシャフトの挿通孔が形成されており、マグネットはコイルの外周側に配置され且つ周方向の一部を欠如した隙間が形成されており、レンズホルダは磁性体でできた引き寄せ部材を備え、引き寄せ部材は半径方向外側に突出してマグネットの隙間に位置しており、マグネットの隙間を介して対向するマグネットの両端部の何れか一方に引き寄せ部材が磁力により引き付けられて、挿通孔の内周面にシャフトの外周が当接していることを特徴とするレンズ駆動装置。
【請求項２】
レンズを保持するレンズホルダと、コイルと、マグネットとを備え、コイルに通電してレンズホルダをレンズの光軸方向に移動させるレンズ駆動装置であって、コイルはレンズホルダの外周に固定されており、マグネットはコイルの外周側に配置され且つ周方向の一部を欠如した隙間が形成されており、レンズホルダは磁性体でできた引き寄せ部材を備え、引き寄せ部材は半径方向外側に突出してマグネットの隙間に位置しており、マグネットの隙間を介して対向するマグネットの両端部の何れか一方に引き寄せ部材が磁力により引き付けられて、マグネットに引き寄せ部材が当接することを特徴とするレンズ駆動装置。
【請求項３】
レンズを保持するレンズホルダと、コイルと、マグネットと、内側ヨークとを備え、コイルに通電してレンズを光軸方向に移動させるレンズ駆動装置であって、コイルはレンズホルダの外周に固定されており、レンズホルダとコイルとの間には内側ヨークの案内孔が形成されており、マグネットはコイルの外周側に配置され且つ周方向の一部を欠如した隙間が形成されており、レンズホルダは磁性体でできた引き寄せ部材を備え、マグネットの隙間を介して対向するマグネットの両端部の何れか一方に引き寄せ部材が磁力により引き付けられて、案内孔の内周面に内側ヨークが当接することを特徴とするレンズ駆動装置。
【発明の詳細な説明】
【技術分野】
【０００１】
本発明は、デジタルカメラや携帯電話等に内蔵される携帯型小型カメラ等に用いられるズームレンズ及びオートフォーカスレンズを駆動させるレンズ駆動装置に関する。
【背景技術】
【０００２】
特許文献１には、レンズを保持するレンズホルダと、コイルと、マグネットとレンズホルダを支持する板ばねとを備え、コイルに電流を流すことで、板ばねの付勢力に抗してレンズホルダがレンズの光軸方向に移動する技術が開示されている。
【０００３】
【特許文献１】特開２００３−７５７１２号公報
【発明の開示】
【発明が解決しようとする課題】
【０００４】
しかし、特許文献１に記載の従来技術は、レンズホルダが板ばねの付勢力に抗して移動するので、レンズホルダの移動量に応じて付勢力が異なる為、レンズホルダの移動経路内で、安定した移動速度を得られ難いという問題がある。
【０００５】
また、レンズホルダの外側に突設して板ばねを設けているため、板ばねがじゃまになって装置の小型化が図り難いという問題がある。
【０００６】
さらに、携帯型小型カメラ等は、携帯時にレンズ駆動装置が揺れや衝撃を受けることがある。このような揺れや衝撃に対して、レンズホルダががたついてレンズの位置ズレが生じるおそれがある。
【０００７】
本発明は、レンズホルダが安定した移動速度で移動でき、且つ装置の小型化を図るとともに、外部からの衝撃によってレンズの位置ズレが生じ難いレンズ駆動装置を得ることを目的とする。
【課題を解決するための手段】
【０００８】
前記課題を解決するために、請求項１に記載された発明は、レンズを保持するレンズホルダと、レンズホルダの移動を案内するシャフトと、コイルと、マグネットとを備え、コイルに通電してレンズホルダをレンズの光軸方向に移動させるレンズ駆動装置であって、コイルはレンズホルダの外周に固定されており、レンズホルダにはシャフトの挿通孔が形成されており、マグネットはコイルの外周側に配置され且つ周方向の一部を欠如した隙間が形成されており、レンズホルダは磁性体でできた引き寄せ部材を備え、引き寄せ部材は半径方向外側に突出してマグネットの隙間に位置しており、マグネットの隙間を介して対向するマグネットの両端部の何れか一方に引き寄せ部材が磁力により引き付けられて、挿通孔の内周面にシャフトの外周が当接していることを特徴とする。
【０００９】
請求項２に記載された発明は、レンズを保持するレンズホルダと、コイルと、マグネットとを備え、コイルに通電してレンズホルダをレンズの光軸方向に移動させるレンズ駆動装置であって、コイルはレンズホルダの外周に固定されており、マグネットはコイルの外周側に配置され且つ周方向の一部を欠如した隙間が形成されており、レンズホルダは磁性体でできた引き寄せ部材を備え、引き寄せ部材は半径方向外側に突出してマグネットの隙間に位置しており、マグネットの隙間を介して対向するマグネットの両端部の何れか一方に引き寄せ部材が磁力により引き付けられて、マグネットに引き寄せ部材が当接することを特徴とする。
【００１０】
請求項３に記載された発明は、レンズを保持するレンズホルダと、コイルと、マグネットと、内側ヨークとを備え、コイルに通電してレンズを光軸方向に移動させるレンズ駆動装置であって、コイルはレンズホルダの外周に固定されており、レンズホルダとコイルとの間には内側ヨークの案内孔が形成されており、マグネットはコイルの外周側に配置され且つ周方向の一部を欠如した隙間が形成されており、レンズホルダは磁性体でできた引き寄せ部材を備え、マグネットの隙間を介して対向するマグネットの両端部の何れか一方に引き寄せ部材が磁力により引き付けられて、案内孔の内周面に内側ヨークが当接することを特徴とする。
【発明の効果】
【００１１】
請求項１に記載の発明によれば、レンズホルダは引き寄せ部材がマグネットの隙間を介して対抗するマグネットの両端部の何れか一方に引き付けられて、挿通孔の内周面にシャフトの外周が当接するので、レンズホルダの移動中にレンズホルダとシャフトとの間で一定の摩擦抵抗を得ることができ、レンズホルダが安定した移動速度で移動できる。
【００１２】
また、挿通孔とシャフトの外周との当接によりレンズホルダとシャフトとの間で一定の摩擦抵抗を得るので、例えばレンズホルダの外側に板ばねを設ける場合に比べて、スペースを小さくでき、装置の小型化を図ることができる。
【００１３】
マグネットの磁力により、引き寄せ部材がマグネットの両端部の何れか一方に引き付けられて、挿通孔の内周面にシャフトの外周が当接して摩擦力が付与されているので、揺れや衝撃に対して、レンズホルダががたつかず、レンズの位置ズレが生じ難い。
【００１４】
請求項２に記載された発明によれば、レンズホルダは引き寄せ部材がマグネットの隙間を介して対抗するマグネットの両端部の何れか一方に引き付けられて、引き寄せ部材がマグネットに当接するので、レンズホルダの移動中にレンズホルダとマグネットとの間で一定の摩擦抵抗を得ることができ、レンズホルダが安定した移動速度で移動できる。
【００１５】
また、引き寄せ部材とマグネットとの当接により、レンズホルダとマグネットとの間で一定の摩擦抵抗を得るので、例えばレンズホルダの外側に板ばねを設ける場合に比べて、スペースを小さくでき、装置の小型化を図ることができる。
【００１６】
マグネットの磁力により、引き寄せ部材がマグネットの両端部の何れか一方に当接して摩擦力が付与されているので、揺れや衝撃に対して、レンズホルダががたつかず、レンズの位置ズレが生じ難い。
【００１７】
請求項３に記載された発明によれば、レンズホルダは引き寄せ部材がマグネットの隙間を介して対抗するマグネットの両端部の何れか一方に引き付けられて、案内孔の内周面に内側ヨークが当接するので、レンズホルダの移動中にレンズホルダと内側ヨークとの間で一定の摩擦抵抗を受けることができ、レンズホルダが安定した移動速度で移動できる。
【００１８】
また、内側ヨークと案内孔の内周面との当接により、レンズホルダと内側ヨークとの間で一定の摩擦抵抗を得るので、例えばレンズホルダの外側に板ばねを設ける場合に比べて、スペースを小さくでき、装置の小型化を図ることができる。
【００１９】
マグネットの磁力により、引き寄せ部材がマグネットの両端部の何れか一方に引き付けられて、案内孔の内周面に内側ヨークが当接して摩擦力が付与されているので、揺れや衝撃に対して、レンズホルダががたつかず、レンズの位置ズレが生じ難い。
【発明を実施するための最良の形態】
【００２０】
以下に、添付図面を参照して、本発明の実施の形態を詳細に説明する。図１〜図３には、本発明の第１の実施形態が示されている。尚、図１は本実施形態のレンズ駆動装置を示す横断面図、図２は図１のＡ−Ａ断面図、図３は本実施の形態に係るレンズ駆動装置の分解斜視図をそれぞれ示している。
【００２１】
本実施形態に係るレンズ駆動装置１は、コイル可動型のレンズ駆動装置であり、レンズ２を保持するレンズホルダ４と、レンズホルダ４に固定された円筒状のコイル１５と、レンズホルダ４の移動を案内する一対のシャフト５、６と、外側ヨーク３と、外側ヨーク３の内周に設けた円筒状のマグネット７と、コイル１５の内周側には横断面円弧状からなる一対の内側ヨーク１１、１３を設けている。
【００２２】
レンズホルダ４は、その中央に円形状の孔を形成しており、係る孔にレンズ２が保持されている。レンズホルダ４には横断面が円形のシャフト５、６の挿通孔１７、１９が形成されている。尚、シャフト５、６は挿通孔１７、１９に対して遊嵌状態で挿通されている。また、レンズホルダ４はコイル１５の内周との間で円弧状の案内孔２１、２３を形成しており、案内孔２１、２３内で円弧状の内側ヨーク１１、１３を保持している。
【００２３】
外側ヨーク３は円筒状であり、外側ヨーク３の一端側開口部３ａにはヨーク固定部９が配設されている。ヨーク固定部９は磁性体からなり、内側ヨーク１１、１３の軸方向の一端部が支持される一対の円弧状のスリット９ａ、９ｂと、一対のシャフト５、６の軸方向の一端部を支持する一対の円形の支持孔９ｃ、９ｄと、ヨーク固定部９の中央に形成された円形状の貫通孔９ｅとを有している。尚、外側ヨーク３の他端側開口部３ｂにも、ヨーク固定部１０が配設されており、かかるヨーク固定部１０に、内側ヨーク１１、１３の軸方向の他端部が支持される一対の円弧状のスリット１０ａ、１０ｂと、一対のシャフト５、６の軸方向の他端部を支持する一対の円形の支持孔１０ｃ、１０ｄと、ヨーク固定部１０の中央に形成された円形状の貫通孔１０ｅとを有している。
【００２４】
マグネット７は、軸方向の両端部（軸方向の一端部７ｃ、軸方向の他端部７ｄ）がヨーク固定部９、１０に当接している。またマグネット７は、周方向の一部に隙間２５を形成しており、外側ヨーク３の内周面が露出した状態となっている。
【００２５】
コイル１５は、レンズホルダ４の外周に沿って設けられており、レンズホルダ４に固定されてレンズホルダ４と一体となって、光軸方向に移動するようになっている。コイル１５の外周面には横断面円弧状の磁性体でできた引き寄せ部材２７が固着されており、引き寄せ部材２７は半径方向外側に突出して隙間２５内に位置している。引き寄せ部材２７はマグネット７の隙間２５を介して対抗するマグネット７の両端部の何れか一方の端部７ａ側に引き付けられるようになっている。そして、レンズホルダ４の一方の挿通孔１９の内周面１９ａの一端に一方のシャフト６の外周が当接し、他方の挿通孔１７の内周面１７ａの他端にシャフト５の外周５ａが当接するようになっている。
【００２６】
次に、本実施の形態に係る作用を説明する。レンズホルダ４は、マグネット７の磁力により引き寄せ部材２７がマグネット７の隙間２５を介して対抗するマグネット７の両端部の何れか一方の端部７ａ側に引き付けられ、挿通孔１７、１９の内周面１７ａ、１９ａにシャフト５、６の外周５ａ、６ａが当接している。そして、コイル１５に電流を流すと、その電流とマグネット７が形成する磁界とにより誘起される電磁力により、レンズホルダ４がシャフト５、６の軸方向に移動する。引き寄せ部材２７がマグネット７の隙間２５を介して対抗するマグネット７の両端部の何れか一方の端部７ａ側に引き付けられ、挿通孔１７、１９の内周面１７ａ、１９ａにシャフト５、６の外周５ａ、６ａが当接するので、レンズホルダ４の移動中にレンズホルダ４とシャフト５、６との間で一定の摩擦抵抗を得ることができ、レンズホルダ４が安定した移動速度で移動できる。
【００２７】
挿通孔１７、１９とシャフト５、６の外周との当接により、レンズホルダ４とシャフト５、６との間で一定の摩擦抵抗を得るので、例えばレンズホルダ４の外側に板ばねを設ける場合に比べて、スペースを小さくでき、装置の小型化を図ることができる。
【００２８】
マグネット７の磁力により引き寄せ部材２７がマグネット７の一方の端部７ａ側に引き付けられ、挿通孔１７、１９の内周面にシャフト５、６の外周が当接して摩擦力が付与されているので、揺れや衝撃に対して、レンズホルダ４ががたつかず、レンズ２の位置ズレも生じ難い。
【００２９】
また、マグネット７の周方向の一部分に隙間２５を形成して、この隙間２５に引き寄せ部材２７が位置するようにしたので、マグネット７を外側ヨーク３の内周の全体に渡って設ける場合に比べて、外形を小さくできる。
【００３０】
次に図４において、本発明の第２実施の形態について説明する。尚、以下の説明において、上述した第１実施の形態と同一の作用効果を奏する部分には同一の符号を付することにより、その部分の詳細な説明を省略し、以下の説明では上述の第１実施の形態と異なる点を主に説明する。
【００３１】
第２の実施形態に係るレンズ駆動装置１は、マグネット７の隙間２５を介して対向するマグネット７の一方の端部７ａ側に引き寄せ部材２７が磁力により引き付けられて、引き寄せ部材２７の周方向の一端部２７ａがマグネット７の一方の端部７ａに当接している点が第１実施の形態と異なる。レンズホルダ４は、引き寄せ部材２７がマグネット７の隙間２５を介して対抗するマグネット７の一端部７ａ側に引き付けられて、引き寄せ部材２７がマグネット７に当接するので、レンズホルダ４の移動中にレンズホルダ４とマグネット７との間で一定の摩擦抵抗を得ることができ、レンズホルダ４が安定した移動速度で移動できる。
【００３２】
また、引き寄せ部材２７とマグネット７の一端部７ａとの当接により、レンズホルダ４とマグネット７との間で一定の摩擦抵抗を得るので、例えばレンズホルダ４の外側に板ばねを設ける場合に比べて、スペースを小さくでき、装置の小型化を図ることができる。
【００３３】
マグネット７の磁力により引き寄せ部材２７がマグネット７の一端部７ａに当接して摩擦力が付与されているので、揺れや衝撃に対して、レンズホルダ４ががたつかず、レンズ２の位置ズレも生じ難い。
【００３４】
次に図５において、第３の実施形態に係るレンズ駆動装置１について説明する。第３の実施形態に係るレンズ駆動装置１は、マグネット７の磁力により引き寄せ部材２７が隙間２５を挟むマグネット７の一方の端部７ａ側に引き付けられて、レンズホルダ４が周方向に移動し、一方の内側ヨーク１１の外周面１１ａの一部分とコイルの内周面１５ａとが当接している。また、一方の内側ヨーク１１とコイルの内周面１５ａとが当接する部分に対向する位置においても、他方の内側ヨーク１３の一部分とコイルの内周面１５ａとが当接している。
【００３５】
レンズホルダ４は、マグネット７の磁力により引き寄せ部材２７が隙間２５を挟むマグネット７の一方の端部７ａ側に引き付けられ、案内孔２１、２３の内周面に内側ヨーク１１、１３が当接するので、レンズホルダ４の移動中にレンズホルダ４と内側ヨーク１１、１３との間で一定の摩擦抵抗を受けることができ、レンズホルダ４が安定した移動速度で移動できる。
【００３６】
また、内側ヨーク１１、１３と案内孔２１、２３の内周面との当接により、レンズホルダ４と内側ヨーク１１、１３との間で一定の摩擦抵抗を得るので、例えばレンズホルダ４の外側に板ばねを設ける場合に比べて、スペースを小さくでき、装置の小型化を図ることができる。
【００３７】
マグネット７の磁力により引き寄せ部材２７がマグネット７の一方の端部７ａ側に引き付けられ、案内孔２１、２３の内周面に内側ヨーク１１、１３が当接して摩擦が生じているので、揺れや衝撃に対して、レンズホルダ４ががたつかず、レンズ２の位置ズレも生じ難い。
【００３８】
尚、本発明は、前述した実施形態に限定されることなく、その要旨を逸脱しない範囲で種々変形して実施できることは言うまでもない。例えば、マグネット７は隙間２５以外の部分は周方向に連続して設けているが、これに限定されず、外側ヨーク３の内周面に引き寄せ部材２７が位置する分だけスペースを開けて、複数のマグネットを間隔を開けて配置しても良い。
【００３９】
引き寄せ部材２７はマグネットであっても良い。
【図面の簡単な説明】
【００４０】
【図１】本実施形態のレンズ駆動装置を示す横断面図である。
【図２】図１のＡ−Ａ断面図である。
【図３】本実施の形態に係るレンズ駆動装置の分解斜視図である。
【図４】第２実施の形態に係るレンズ駆動装置を示す横断面図である。
【図５】第３実施の形態に係るレンズ駆動装置を示す横断面図である。
【符号の説明】
【００４１】
１              レンズ駆動装置
２              レンズ
４              レンズホルダ
５、６          シャフト
７              マグネット
１１、１３      内側ヨーク
１５            コイル
１７、１９      シャフトの挿通孔
２１、２３      案内孔
２５            隙間
２７            引き寄せ部材
【図１】
2005352233.tif 000003
【図２】
2005352233.tif 000004
【図３】
2005352233.tif 000005
【図４】
2005352233.tif 000006
【図５】
2005352233.tif 000007